(57)【要約】【課題】断面形状が同一の枠形材によって構成される上枠、下枠および左右の縦枠の外観見付け寸法やユニット間の目地幅寸法を異なる寸法に設定できるカーテンウォールユニットを提供すること。【解決手段】カーテンウォールユニットでは、四方枠は、断面形状が同一の枠形材２５と、押縁７０Ａ〜７０Ｃとによってそれぞれ構成される。枠形材２５では、枠本体部２６から延出した第一、第二枠延出片部２７Ａ，２７Ｂに第一、第二枠係合部２８Ａ，２８Ｂが連続している。押縁７０Ａ〜７０Ｃでは、押縁見込み片部７１１から延出した第一、第二押縁連続片部７３Ａ，７３Ｂに第一、第二押縁係合部７２Ａ，７２Ｂが連続している。【選択図】図５
2018066155.tif 000002
【特許請求の範囲】
【請求項１】
上枠、下枠および左右の縦枠を枠組みして構成される枠体と、前記枠体内に配置されるパネルとを備え、
前記上枠、前記下枠および前記左右の縦枠は、断面形状が同一の枠形材と、押縁とによってそれぞれ構成され、
前記枠形材は、枠本体部と、前記枠本体部から前記枠形材の見付け方向外側に延出した第一枠延出片部および第二枠延出片部と、前記第一枠延出片部から室内側に突出した第一枠係合部と、前記第二枠延出片部から室内側に突出した第二枠係合部とを有し、
前記第一枠延出片部は、前記第二枠延出片部よりも室外側に配置され、
前記押縁は、押縁見込み片部と、前記押縁見込み片部の室外側部分から前記枠形材の見付け方向に沿って延びたパネル押え片部と、前記押縁見込み片部の室内側部分から前記枠本体部側に延出した第一押縁連続片部および第二押縁連続片部と、前記第一押縁連続片部から室外側に突出した第一押縁係合部と、前記第二押縁連続片部から室外側に突出した第二押縁係合部とを有し、
前記第一押縁連続片部は、前記第二押縁連続片部よりも室外側に配置されている
ことを特徴とするカーテンウォールユニット。
【請求項２】
請求項１に記載のカーテンウォールユニットにおいて、
前記押縁は、前記第二押縁連続片部から前記枠本体部側に延出した押縁当接片部を有し、
前記押縁当接片部の先端は、前記第二押縁係合部および前記第二枠係合部の係合状態で前記枠本体部に当接状態となる
ことを特徴とするカーテンウォールユニット。
【請求項３】
請求項１または請求項２に記載のカーテンウォールユニットにおいて、
前記第一枠係合部は、前記第一枠延出片部の先端部に連続し、
前記第二枠係合部は、前記第二枠延出片部の先端部に連続している
ことを特徴とするカーテンウォールユニット。
【請求項４】
請求項１から請求項３のいずれか一項に記載のカーテンウォールユニットにおいて、
前記枠本体部には、第一シール部材と、前記第一シール部材よりも室内側に位置した第二シール部材とが装着され、前記第一シール部材および前記第二シール部材は、室外側との等圧空間を形成するための間隔を隔てて配置されている
ことを特徴とするカーテンウォールユニット。
【発明の詳細な説明】
【技術分野】
【０００１】
本発明は、建物の外壁として用いられるカーテンウォールを構成するカーテンウォールユニットに関する。
【背景技術】
【０００２】
従来、カーテンウォールを構成するユニットとして、同一の断面形状である上下枠材および左右枠材が枠組みされた窓枠に対し、ガラスがはめ込まれて構成されたパネルユニットが知られている（特許文献１参照）。
上下枠材および左右枠材のうちガラスの室内面に対向する部分に係止された背面固定材によってガラスの四周を室内面から受けている。また、上下枠材および左右枠材には、前記背面固定材が係止された部分よりも室外側に持ち出された持出し片部がそれぞれ形成されており、持出し片部の室外端部に取り付けられたグレージングガスケットによってガラスの四周を室外面から押えている。
【先行技術文献】
【特許文献】
【０００３】
【特許文献１】特許第３２７２３０４号公報
【発明の概要】
【発明が解決しようとする課題】
【０００４】
ところで、特許文献１に記載のパネルユニットでは、上下枠材および左右枠材が、前述した持出し片部を含めて同一の断面形状に形成されているので、上下枠材および左右枠材の外観見付け寸法や、上下左右に並んで配置されるパネルユニット間の目地幅寸法を統一することができる。
しかし、前述した上下枠材および左右枠材では、四方同一枠材である限り、上下枠材および左右枠材の各持出し片部の設定寸法を互いに異なる寸法に変えることができず、これら寸法を変えるとすれば、上下枠材および左右枠材の各枠材自体を変えることになり、枠体の設計が複雑となってしまう。このため、四方同一枠において、上下枠材および左右枠材の外観見付け寸法やパネルユニット間の目地幅寸法をそれぞれ異なる寸法に設定することが困難である。
【０００５】
本発明の目的は、断面形状が同一の枠形材によって構成される上枠、下枠および左右の縦枠の外観見付け寸法やユニット間の目地幅寸法を異なる寸法に設定できるカーテンウォールユニットを提供することにある。
【課題を解決するための手段】
【０００６】
本発明のカーテンウォールユニットは、上枠、下枠および左右の縦枠を枠組みして構成される枠体と、前記枠体内に配置されるパネルとを備え、前記上枠、前記下枠および前記左右の縦枠は、断面形状が同一の枠形材と、押縁とによってそれぞれ構成され、前記枠形材は、枠本体部と、前記枠本体部から前記枠形材の見付け方向外側に延出した第一枠延出片部および第二枠延出片部と、前記第一枠延出片部から室内側に突出した第一枠係合部と、前記第二枠延出片部から室内側に突出した第二枠係合部とを有し、前記第一枠延出片部は、前記第二枠延出片部よりも室外側に配置され、前記押縁は、押縁見込み片部と、前記押縁見込み片部の室外側部分から前記枠形材の見付け方向に沿って延びたパネル押え片部と、前記押縁見込み片部の室内側部分から前記枠本体部側に延出した第一押縁連続片部および第二押縁連続片部と、前記第一押縁連続片部から室外側に突出した第一押縁係合部と、前記第二押縁連続片部から室外側に突出した第二押縁係合部とを有し、前記第一押縁連続片部は、前記第二押縁連続片部よりも室外側に配置されていることを特徴とする。
【０００７】
本発明のカーテンウォールユニットによれば、上枠、下枠および左右の縦枠を構成する断面形状が同一の各枠形材に各種の押縁を取り付けることで、各枠形材を変更することなく、上枠、下枠および左右の縦枠の外観見付け寸法やカーテンウォールユニット間の目地幅寸法を異なる寸法に設定できる。上枠、下枠および左右の縦枠の外観見付け寸法は、押縁のパネル押え片部の見付け寸法によって設定される。カーテンウォールユニット間の目地幅寸法は、第一押縁連続片部および第二押縁連続片部の見付け寸法によって設定される。
【０００８】
本発明のカーテンウォールユニットでは、前記押縁は、前記第二押縁連続片部から前記枠本体部側に延出した押縁当接片部を有し、前記押縁当接片部の先端は、前記第二押縁係合部および前記第二枠係合部の係合状態で前記枠本体部に当接状態となることが好ましい。
このような構成によれば、押縁当接片部の先端が枠本体部に当接するので、第二押縁係合部の枠本体部側への接近を制限でき、押縁を枠形材に係合する際の位置決めを容易に行うことができる。
【０００９】
本発明のカーテンウォールユニットでは、前記第一枠係合部は、前記第一枠延出片部の先端部に連続し、前記第二枠係合部は、前記第二枠延出片部の先端部に連続していることが好ましい。
このような構成によれば、第一、第二枠係合部および第一、第二押縁係合部の係合状態で、第一、第二押縁係合部の枠本体部に対する枠形材の見付け方向における間隔をより大きくでき、間隔を大きく隔てた分、第一、第二押縁係合部を枠本体部よりも押縁見込み片部寄りの位置に配置でき、第一、第二押縁連続片部の見付け寸法を小さくできる。このため、パネルの室外面を押える押縁に生じ得る撓み変形を抑制できて前述した係合状態をより強固にできる。
【００１０】
本発明のカーテンウォールユニットでは、前記枠本体部には、第一シール部材と、前記第一シール部材よりも室内側に位置した第二シール部材とが装着され、前記第一シール部材および前記第二シール部材は、室外側との等圧空間を形成するための間隔を隔てて配置されていることが好ましい。
このような構成によれば、各種の押縁を適用可能なカーテンウォールユニット間にオープンジョイント構法による水密接合構造を構成できる。
【発明の効果】
【００１１】
本発明によれば、断面形状が同一の枠形材によって構成される上枠、下枠および左右の縦枠の外観見付け寸法やユニット間の目地幅寸法を異なる寸法に設定できるカーテンウォールユニットを提供できる。
【図面の簡単な説明】
【００１２】
【図１】本発明の実施形態に係るカーテンウォールユニットを示す外観姿図。
【図２】前記実施形態に係るカーテンウォールユニットを示す縦断面図。
【図３】前記実施形態に係るカーテンウォールユニットの上下枠を示す縦断面図。
【図４】前記実施形態に係るカーテンウォールユニットの縦枠を示す横断面図。
【図５】前記実施形態に係るカーテンウォールユニットの各種の押縁を示す説明図。
【発明を実施するための形態】
【００１３】
［本実施形態の構成］
以下、本発明の実施形態を図面に基づいて説明する。
図１、図２は、本実施形態に係るカーテンウォールユニット１０を示している。カーテンウォールユニット１０は、上下方向に並設されることで、建物の外壁面であるカーテンウォールを構成し、室内外（屋内外）を仕切るものである。なお、建物は、梁と、梁で支持される床スラブとを備えており、床スラブの下部には吊り天井が設置されている。各カーテンウォールユニット１０は、梁から持ち出された下地鉄骨に固定し、吊り下げ設置されている。
【００１４】
カーテンウォールユニット１０は、枠体２０と、パネル２１，２２とを備える段窓によって構成されている。
枠体２０は、アルミ製の押出形材によって形成された上枠３０、下枠４０、無目５０および左右の縦枠６０（６０Ａ，６０Ｂ）を枠組みして構成されている。上枠３０、下枠４０および左右の縦枠６０（６０Ａ，６０Ｂ）は、断面形状が同一の枠形材２５と、枠形材２５に係合する各種の押縁７０Ａ〜７０Ｃ（図５参照）とによってそれぞれ形成されている。上枠３０および下枠４０の両端部および縦枠６０Ａ，６０Ｂの両端部は互いに４５°の角度で切断されて突き合わされ、各枠形材２５の内部にコーナーブロック２５Ａが差し込まれることによって互いに接合されている。また、無目５０は、左右の縦枠６０Ａ，６０Ｂに取り付けられている。
上枠３０、無目５０および左右の縦枠６０Ａ，６０Ｂは、上側の開口２３を形成しており、下枠４０、無目５０および左右の縦枠６０Ａ，６０Ｂは、下側の開口２４を形成している。本実施形態では、パネル２１は、単層ガラスパネルによって形成されて開口２３に配置されており、パネル２２は、複層ガラスパネルによって形成されて開口２４に配置されている。なお、パネル２１，２２は単層ガラスパネル、複層ガラスパネル、合わせガラスパネルなどによって形成されていてもよい。
【００１５】
上枠３０は、図３に示すように、枠形材２５と、押縁７０Ｃとによって構成されている。枠形材２５は、枠本体部２６と、枠本体部２６から枠形材２５の見付け方向外側に延出した第一枠延出片部２７Ａおよび第二枠延出片部２７Ｂと、第一枠延出片部２７Ａの先端部から室内側に突出した第一枠係合部２８Ａと、第二枠延出片部２７Ｂの先端部から室内側に突出した第二枠係合部２８Ｂとを有している。第一枠延出片部２７Ａは、第二枠延出片部２７Ｂよりも室外側に配置されている。
【００１６】
枠本体部２６は、パネル対向片部２６１と、見込み片部２６２，２６３と、室内見付け片部２６４とを有している。
パネル対向片部２６１は、枠形材２５の見付け方向に沿って配置されており、その室外面には、パネル２１の室内面に当接するガスケット１１が装着された室外突部２６１Ａが形成されている。
【００１７】
見込み片部２６２，２６３は、パネル対向片部２６１にそれぞれ連続している。上枠３０において、見込み片部２６２は、見込み片部２６３に対して下方に位置している。見込み片部２６２の室内側部分には、耐火パネル１５の上縁部が取り付けられている。見込み片部２６３には、第一シール部材である水密材１２および第二シール部材である気密材１３がそれぞれ装着された装着部２６３Ａ，２６３Ｂが形成されている。水密材１２は、気密材１３よりも室外側との等圧空間を形成するための間隔を隔てて室外側に位置している。
【００１８】
室内見付け片部２６４は、見込み片部２６２，２６３に連続している。見込み片部２６２，２６３の室内側部分には、仕切り片部２６５が連続しており、この仕切り片部２６５によって枠形材２５内に枠ホロー２６６および室内側ホロー２６７が形成されている。なお、枠ホロー２６６に前述したコーナーブロック２５Ａが配置されている。
【００１９】
ここで、水密材１２は、ヒレ部を有して形成され、装着部２６３Ａに装着されており、気密材１３は、装着部２６３Ａよりも室内側に位置した装着部２６３Ｂに装着されている。なお、装着部２６３Ａ，２６３Ｂ間には、嵌合凸部材（図示省略）が嵌め込まれている。また、見込み片部２６３には、装着部２６３Ａよりも室外側に位置して枠形材２５の見付け方向に沿って延出した延出片部２６８が形成されている。
【００２０】
第一枠延出片部２７Ａは、パネル対向片部２６１に沿って形成されており、第一枠延出片部２７Ａの室外面はパネル対向片部２６１の室外面と面一とされている。第一枠延出片部２７Ａおよびパネル対向片部２６１の双方の室外面によってパネル２１の室内面に対向可能なパネル対向面２９が構成されている。
第一枠係合部２８Ａは、第一枠延出片部２７Ａの見付け方向外側の先端部から室内側に突出した爪部によって形成されている。第一枠係合部２８Ａのうち後述する第一押縁係合部７２Ａが当接する係合面２８１は、第一枠係合部２８Ａが先窄まりとなるように枠形材２５の見込み方向に対して傾斜している。第一枠係合部２８Ａおよび第一押縁係合部７２Ａの係合状態では、前記傾斜した係合面２８１によって後述する押縁見込み片部７１１が第一枠係合部２８Ａ側に引き寄せられて係合状態が強固にされる。
【００２１】
第二枠延出片部２７Ｂおよび第二枠係合部２８Ｂは、第一枠延出片部２７Ａおよび第一枠係合部２８Ａと同様に形成されている。各枠延出片部２７Ａ，２７Ｂの延出長さ寸法は同じであり、各枠係合部２８Ａ，２８Ｂの突出寸法も同じである。
【００２２】
押縁７０Ｃは、断面略Ｌ字形状に形成された押縁本体部７１と、第一枠係合部２８Ａに係合する第一押縁係合部７２Ａと、第二枠係合部２８Ｂに係合する第二押縁係合部７２Ｂと、第一押縁係合部７２Ａを押縁本体部７１に連続した第一押縁連続片部７３Ａと、第二押縁係合部７２Ｂを押縁本体部７１に連続した第二押縁連続片部７３Ｂとを有している。
【００２３】
押縁本体部７１は、押縁見込み片部７１１と、押縁見込み片部７１１の室外側部分から枠形材２５の見付け方向に沿って延びたパネル押え片部７１２とを有している。
押縁見込み片部７１１は、第二枠係合部２８Ｂからパネル２１の室外側まで延びて形成されている。
パネル押え片部７１２は、押縁見込み片部７１１の室外端に連続しており、パネル２１の室外面に対向して位置している。このパネル押え片部７１２には、パネル２１の室外面に当接するガスケット１７が装着されている。
第一押縁連続片部７３Ａおよび第二押縁連続片部７３Ｂは、押縁見込み片部７１１の室内側部分から枠本体部２６側に延出している。
【００２４】
第一押縁係合部７２Ａは、押縁見込み片部７１１の室内側部分に形成された第一押縁連続片部７３Ａから室内側に突出して形成された爪部によって構成されている。
押縁７０Ｃの第一押縁連続片部７３Ａは、後述する第二押縁連続片部７３Ｂよりも室外側に配置されており、押縁見込み片部７１１から枠形材２５の見付け方向内側（上枠３０では上側）に延出している。
押縁７０Ｃでは、第一押縁係合部７２Ａおよび第一枠係合部２８Ａの係合状態では、押縁見込み片部７１１は第一押縁係合部７２Ａに当接し、第一押縁係合部７２Ａとの間で第一枠係合部２８Ａを挟み込んだ状態となる。
第一押縁係合部７２Ａは、第一枠係合部２８Ａとの係合状態で枠本体部２６に対して枠形材２５の見付け方向における間隔を隔てて位置している。
【００２５】
第二押縁係合部７２Ｂは、押縁見込み片部７１１の室内側部分に形成された第二押縁連続片部７３Ｂから室内側に突出して形成された爪部によって構成されている。
押縁７０Ｃの第二押縁連続片部７３Ｂは、押縁見込み片部７１１の室内端から枠形材２５の見付け方向内側（上枠３０では上側）に延出している。
押縁７０Ｃでは、第二押縁係合部７２Ｂおよび第二枠係合部２８Ｂの係合状態では、押縁見込み片部７１１は第二押縁係合部７２Ｂに当接し、第二押縁係合部７２Ｂとの間で第二枠係合部２８Ｂを挟み込んだ状態となる。
第二押縁係合部７２Ｂは、第一枠係合部２８Ａとの係合状態で枠本体部２６に対して枠形材２５の見付け方向の間隔を隔てて位置している。
【００２６】
なお、押縁７０Ｃでは、前述したように各枠係合部２８Ａ，２８Ｂを挟み込むので、押縁７０Ａ，７０Ｂにあるような押縁当接片部７４は必要がなく、押縁７０Ｃには設けられていない。
【００２７】
下枠４０は、図３に示すように、前述した枠形材２５および押縁７０Ｃによって構成されており、上枠３０に対して上下逆向きに配置されている。下枠４０のパネル対向片部２６１に形成された室外突部２６１Ａには、パネル２２の室内面に当接するガスケット１８が装着されている。下枠４０の押縁７０Ｃのパネル押え片部７１２に装着されたガスケット１７は、パネル２２の室外面に当接している。
【００２８】
下枠４０の装着部２６３Ａ，２６３Ｂ間には、上枠３０の嵌合凸部材に嵌合した嵌合凹部材がはめ込まれている。
下枠４０の水密材１２のヒレ部は、上枠３０の水密材１２のヒレ部に当接しており、下枠４０の気密材１３は、上枠３０の気密材１３に当接しており、これら水密材１２および気密材１３間に外部空間と等圧とされる等圧空間が形成されている。
【００２９】
下枠４０の見込み片部２６３には、パネル２２を支える支持板４１が固定されている。下枠４０では、第一枠延出片部２７Ａおよび第二枠延出片部２７Ｂが切り欠かれており、切り欠かれた部分に支持板４１が通されている。支持板４１は、枠本体部２６よりも室外側に延出した部分でパネル２２の下縁に当接している。
【００３０】
縦枠６０Ａ，６０Ｂは、図４に示すように、枠形材２５と、押縁７０Ｂとによってそれぞれ構成されており、左右逆向きに配置されている。枠形材２５は前述した通りの構成なので詳細な説明を省略する。なお、縦枠６０のパネル対向片部２６１の室外突部２６１Ａには、パネル２２の室内面に当接するバックアップ材１９Ａが装着されており、縦枠６０の第一枠延出片部２７Ａの室外面とパネル２２の室内面との間にはシール材１９Ｂが設けられている。
【００３１】
押縁７０Ｂは、前述した押縁本体部７１、第一押縁係合部７２Ａ、第二押縁係合部７２Ｂ、第一押縁連続片部７３Ａおよび第二押縁連続片部７３Ｂを有しているのに加え、第二押縁連続片部７３Ｂから枠本体部２６側に延出した押縁当接片部７４を有している。
本実施形態では、図５に示すように、押縁７０Ｂのパネル押え片部７１２の見付け寸法Ｗ１は、押縁７０Ｃのパネル押え片部７１２の見付け寸法Ｗ１と同じであるが、異なっていてもよい。
押縁７０Ｂの第一押縁連続片部７３Ａの見付け寸法Ｗ２は、押縁７０Ｃの第一押縁連続片部７３Ａの見付け寸法Ｗ２よりも大きい。押縁７０Ｂの第二押縁連続片部７３Ｂの見付け寸法Ｗ２は、押縁７０Ｃの第二押縁連続片部７３Ｂの見付け寸法Ｗ２よりも大きい。このため、左右方向に並んで配置されるカーテンウォールユニット１０の押縁７０Ｂの押縁見込み片部７１１間に形成される目地の目地幅寸法Ｗ３は、上下方向に並んで配置されるカーテンウォールユニット１０の押縁７０Ｃの押縁見込み片部７１１間に形成される目地の目地幅寸法Ｗ３よりも小さい。
押縁当接片部７４は、第二押縁係合部７２Ｂが第二枠係合部２８Ｂに係合した係合状態で、枠本体部２６の見込み片部２６３に当接する。
【００３２】
前述した上枠３０、下枠４０および左右の縦枠６０Ａ，６０Ｂは、同一断面形状の枠形材２５を備えているので、図５に示す各種の押縁７０Ａ〜７０Ｃと係合可能に構成されている。図５（Ｂ）、図５（Ｃ）に示す押縁７０Ｂ，７０Ｃは前述した通りに構成されている。
図５（Ａ）に示す押縁７０Ａは、前述した押縁本体部７１、第一押縁係合部７２Ａ、第二押縁係合部７２Ｂ、第一押縁連続片部７３Ａ、第二押縁連続片部７３Ｂおよび押縁当接片部７４を有している。
本実施形態では、押縁７０Ａのパネル押え片部７１２の見付け寸法Ｗ１は、押縁７０Ｂのパネル押え片部７１２の見付け寸法Ｗ１よりも大きい。
押縁７０Ａの第一押縁連続片部７３Ａの見付け寸法Ｗ２は、押縁７０Ｂの第一押縁連続片部７３Ａの見付け寸法Ｗ２よりも小さい。押縁７０Ａの第二押縁連続片部７３Ｂの見付け寸法Ｗ２は、押縁７０Ｂの第二押縁連続片部７３Ｂの見付け寸法Ｗ２よりも小さい。このため、並んで配置されるカーテンウォールユニット１０の押縁７０Ｂの押縁見込み片部７１１間に形成される目地の目地幅寸法Ｗ３は、押縁７０Ｂ間の目地幅寸法Ｗ３よりも大きくなっている。
【００３３】
ここで、第一、第二枠延出片部２７Ａ，２７Ｂの見付け寸法Ｗ（図３〜５参照）は、カーテンウォールユニット１０同士を隣接して配置するための仮想の基準線Ｌ（図５（Ａ）参照）と枠本体部２６の見込み片部２６３との間に、押縁見込み片部７１１を配置可能な所定の見付け幅Ｗ４（図５（Ａ）参照）が形成される寸法に設定されている。押縁見込み片部７１１の見付け位置は、前記基準線Ｌから第一、第二枠係合部２８Ａ，２８Ｂまでの見付け幅内で設定可能である。
【００３４】
前述したように、本実施形態に係るカーテンウォールユニット１０では、上枠３０および下枠４０の枠形材２５に押縁７０Ｃが係合され、左右の縦枠６０Ａ，６０Ｂの枠形材２５に押縁７０Ｂが係合されている。このため、上枠３０、下枠４０および縦枠６０Ａ，６０Ｂの外観見付け寸法（見付け寸法Ｗ１）は同じ寸法となっており、上枠３０および下枠４０間の目地幅寸法Ｗ３は、縦枠６０Ａ，６０Ｂ間の目地幅寸法Ｗ３よりも大きい寸法とされている。このカーテンウォールユニット１０では、各枠形材２５に係合する押縁７０Ａ〜７０Ｃを適宜選択することによって前述した外観見付け寸法Ｗ１および目地幅寸法Ｗ３の設定を適宜変更できる。
【００３５】
［本実施形態の効果］
（１）本実施形態では、カーテンウォールユニット１０は、上枠３０、下枠４０および左右の縦枠６０を枠組みして構成される枠体２０と、枠体２０内に配置されるパネル２１，２２とを備え、上枠３０、下枠４０および左右の縦枠６０は、断面形状が同一の枠形材２５と、押縁７０Ａ〜７０Ｃとによってそれぞれ構成され、枠形材２５は、枠本体部２６と、枠本体部２６から枠形材２５の見付け方向外側に延出した第一枠延出片部２７Ａおよび第二枠延出片部２７Ｂと、第一枠延出片部２７Ａから室内側に突出した第一枠係合部２８Ａと、第二枠延出片部２７Ｂから室内側に突出した第二枠係合部２８Ｂとを有し、第一枠延出片部２７Ａは、第二枠延出片部２７Ｂよりも室外側に配置され、押縁７０Ａ〜７０Ｃは、押縁見込み片部７１１と、押縁見込み片部７１１の室外側部分から枠形材２５の見付け方向に沿って延びたパネル押え片部７１２と、押縁見込み片部７１１の室内側部分から枠本体部２６側に延出した第一押縁連続片部７３Ａおよび第二押縁連続片部７３Ｂと、第一押縁連続片部７３Ａから室外側に突出した第一押縁係合部７２Ａと、第二押縁連続片部７３Ｂから室外側に突出した第二押縁係合部７２Ｂとを有し、第一押縁連続片部７３Ａは、第二押縁連続片部７３Ｂよりも室外側に配置されていることを特徴とする。
上記構成を有するため、上枠３０、下枠４０および左右の縦枠６０を構成する断面形状が同一の各枠形材２５に各種の押縁７０Ａ〜７０Ｃを取り付けることで、各枠形材２５を変更することなく、上枠３０、下枠４０および左右の縦枠６０の外観見付け寸法Ｗ１やカーテンウォールユニット１０間の目地幅寸法Ｗ３を異なる寸法に設定できる。
また、第一枠延出片部２７Ａが枠本体部２６から見付け方向外側に延出した分だけパネル２１，２２の室内面を受けられる領域が広がっているので、幅寸法や高さ寸法の大きいパネル２１，２２の室内面を受けることができる。
（２）前記実施形態では、押縁７０Ａ〜７０Ｃは、第二押縁連続片部７３Ｂから枠本体部２６側に延出した押縁当接片部７４を有し、押縁当接片部７４の先端は、第二押縁係合部７２Ｂおよび第二枠係合部２８Ｂの係合状態で枠本体部２６に当接状態となる。
このため、押縁当接片部７４の先端が枠本体部２６に当接するので、第二押縁係合部７２Ｂの枠本体部２６側への接近を制限でき、押縁７０Ａ〜７０Ｃを枠形材２５に係合する際の位置決めを容易に行うことができる。
（３）前記実施形態では、第一枠係合部２８Ａは、第一枠延出片部２７Ａの先端部に連続し、第二枠係合部２８Ｂは、第二枠延出片部２７Ｂの先端部に連続している。
このため、第一、第二枠係合部２８Ａ，２８Ｂおよび第一、第二押縁係合部７２Ａ，７２Ｂの係合状態で、第一、第二押縁係合部７２Ａ，７２Ｂの枠本体部２６に対する枠形材２５の見付け方向における間隔をより大きくでき、間隔を大きく隔てた分、第一、第二押縁係合部７２Ａ，７２Ｂを枠本体部２６よりも押縁見込み片部７１１寄りの位置に配置でき、第一、第二押縁連続片部７３Ａ，７３Ｂの見付け寸法Ｗ２を小さくできる。このため、パネル２１，２２の室外面を押える押縁７０Ａ〜７０Ｃに生じ得る撓み変形を抑制できて前述した係合状態をより強固にできる。
（４）前記実施形態では、枠本体部２６には、水密材１２と、水密材１２よりも室内側に位置した気密材１３とが装着され、水密材１２および気密材１３は、室外側との等圧空間を形成するための間隔を隔てて配置されている。
このため、各種の押縁７０Ａ〜７０Ｃを適用可能なカーテンウォールユニット１０間にオープンジョイント構法による水密接合構造を構成できる。
【００３６】
［変形例］
本発明は、以上の実施形態で説明した構成のものに限定されず、本発明の目的を達成できる範囲での変形例は、本発明に含まれる。
例えば、前記実施形態では、第一、第二枠係合部２８Ａ，２８Ｂは、第一、第二枠延出片部２７Ａ，２７Ｂの先端部に連続しているが、これに限られず、当該先端部よりも枠本体部２６側の位置に連続していてもよい。
【００３７】
前記実施形態では、第一、第二枠延出片部２７Ａ，２７Ｂの見付け寸法は互いに同じ寸法とされているが、異なる寸法であってもよい。この場合、第一、第二枠延出片部２７Ａ，２７Ｂのそれぞれの見付け寸法に対応して、第一、第二押縁連続片部７３Ａ，７３Ｂの見付け寸法Ｗ２も互いに異なる寸法とされる。
また、前記実施形態では、枠形材２５に係合される押縁７０Ａ〜７０Ｃを説明したが、これら押縁７０Ａ〜７０Ｃに限られず、各種寸法の押縁が係合されてもよい。
【００３８】
前記実施形態では、カーテンウォールユニット１０間には、オープンジョイント構法による水密接合構造があるが、この構造を省略してもよい。
【００３９】
前記実施形態では、第一、第二枠係合部２８Ａ，２８Ｂの係合面２８１は枠形材２５の見込み方向に対して傾斜しているが、当該見込み方向と平行とされてもよい。
【００４０】
前記実施形態では、枠ホロー２６６と外部空間とを連通する排水口を下枠４０に形成してもよい。この場合、上枠３０、下枠４０および左右の縦枠６０の連結部分に枠ホロー２６６同士を連通させる部分を形成することで、枠ホロー２６６内に浸入した水を前記排水口から排水できる。
【符号の説明】
【００４１】
１０…カーテンウォールユニット、１１，１７，１８…ガスケット、１２…水密材（第一シール部材）、１３…気密材（第二シール部材）、１５…耐火パネル、１９Ａ…バックアップ材、１９Ｂ…シール材、２０…枠体、２１，２２…パネル、２３，２４…開口、２５…枠形材、２５Ａ…コーナーブロック、２６…枠本体部、２７Ａ…第一枠延出片部、２７Ｂ…第二枠延出片部、２８Ａ…第一枠係合部、２８Ｂ…第二枠係合部、２９…パネル対向面、３０…上枠、４０…下枠、４１…支持板、５０…無目、６０（６０Ａ，６０Ｂ）…縦枠、７０Ａ，７０Ｂ，７０Ｃ…押縁、７１…押縁本体部、７２Ａ…第一押縁係合部、７２Ｂ…第二押縁係合部、７３Ａ…第一押縁連続片部、７３Ｂ…第二押縁連続片部、７４…押縁当接片部、２６１…パネル対向片部、２６１Ａ…室外突部、２６２，２６３…見込み片部、２６３Ａ，２６３Ｂ…装着部、２６４…室内見付け片部、２６５…仕切り片部、２６６…枠ホロー、２６７…室内側ホロー、２６８…延出片部、２８１…係合面、７１１…押縁見込み片部、７１２…パネル押え片部、Ｌ…基準線、Ｗ，Ｗ１，Ｗ２…見付け寸法、Ｗ３…目地幅寸法、Ｗ４…見付け幅。
【図１】
2018066155.tif 000003
【図２】
2018066155.tif 000004
【図３】
2018066155.tif 000005
【図４】
2018066155.tif 000006
【図５】
2018066155.tif 000007